(57)【要約】【課題】  切り込み部分により構築される編み目部分に対して均一に力が加わるような切り込みが施されたシート状手提げ袋を提供する。【解決手段】  １枚の略矩形状のシート（１）の中央部に対し、手提げ袋の底面部となる形状を残しつつ、その底面部の外形形状と相似形状からなる断続した切り込み環（２−１〜Ｎ）が、底面部の外形位置から外周方向に所定の倍率毎に拡大しつつ、そのシート（１）に多数列施され、尚且つ、シート（１）の長手方向の外周近辺に、一対の提げ手（５）を構築するための切り込み（６）が施されている。なお、シート（１）に施した断続した切り込み環（２−１〜Ｎ）は、断続した切り込み環の切り込み部分と、その切り込み環と隣接する切り込み環の切り込み部分と、が互い違いとなるように順次施されている。【選択図】  図１
2005212807.tif 000002
【特許請求の範囲】
【請求項１】
１枚の略矩形状のシートに複数の切り込みを施してなるシート状手提げ袋であって、
前記シートの中央部に対し前記手提げ袋の底面部となる形状を残しつつ、該底面部の外形形状と相似形状からなる断続した切り込み環が、前記底面部の外形位置から外周方向に所定の倍率毎に拡大しつつ前記シートに多数列施され、尚且つ、前記シートの長手方向の外周近辺に、一対の提げ手を構築するための切り込みが施されてなり、
前記断続した切り込み環は、前記断続した切り込み環の切り込み部分と、前記切り込み環と隣接する切り込み環の切り込み部分と、が互い違いとなるように順次施されてなることを特徴とするシート状手提げ袋。
【請求項２】
前記提げ手を構築するための切り込みの両端に、該切り込みの端に加わる力を緩和させる貫通孔が施されてなることを特徴とする請求項１記載のシート状手提げ袋。
【請求項３】
前記提げ手を構築するための切り込みと、断続した最外環の切り込み環と、の間に、前記手提げ袋の中に内容物を投入した際に該内容物の一部に掛けて内容物を保持させる掛止部を構築するための切り込みが施されてなることを特徴とする請求項１または２記載のシート状手提げ袋。
【請求項４】
前記底面部となる形状は、トラック形状からなることを特徴とする請求項１記載のシート状手提げ袋。
【請求項５】
前記略矩形状のシートは、２層からなるシートであって、前記手提げ袋の内側となる層は、内容物を緩衝する緩衝層であり、前記手提げ袋の外側となる層は、印刷可能なプラスチック層であることを特徴とする請求項１記載のシート状手提げ袋。
【請求項６】
前記緩衝層は、不織布であることを特徴とする請求項５記載のシート状手提げ袋。
【発明の詳細な説明】
【技術分野】
【０００１】
本発明は、１枚のシート素材から安価に製造でき、尚且つ、所定の物品等を包装しつつ持ち運び可能なシート状手提げ袋に関するものである。
【背景技術】
【０００２】
従来から購入した商品等を持ち帰る際には、ビニール袋や網袋などが用いられているのが一般的である。しかしながら、ビニール袋や網袋などは、袋の底となる底面部分が予め形成されているものではなく、袋の中に投入した内容物に応じて底面部分が構築されることになる。このため、袋の中に複数の商品を投入した場合は、その複数の商品の各々の自重により、底面部分に対して均等な力が加わらなければ、安定した底面部分を構築することが出来ないことになり、各商品を袋の内部で固定させて持ち運ぶことは困難となる。このため、商品を包装しつつ袋の内部で固定させて持ち運び可能な袋が市場において必要とされている。また、袋等は大量に使用されることから製造コストが安く、尚且つ、比較的強度の優れた袋が好まれるのは必須である。
【０００３】
なお、本発明より先に出願された技術文献として、少ない素材で大きな体積のものをつつむことができるような構成物素材を提供しようとすることを主目的とし、紙、革、合成樹脂シート、金属薄板等などの可撓性材料からなる素体（１）に、その中心部から相似形状に拡大しつつ、断続した切り込み（２）による切り込み環（３）を多数列設け、これら切り込み（２）の中断する個所において放射状に形成されるつなぎ目（４）の位置が千鳥状の配列になるように相隣る切り込み環（３）の切り込み（２）の配置を定めて成る構成物素材があり、この素材（１）の外周部の直径的に対向する位置に提げ手を構成するための切り溝（５、５）を設けてなる構成物素材がある（例えば、特許文献１参照）。
【０００４】
また、１枚のシート素材から型抜きするほぼ円形の簡易包装バックであって、同心円状に直径の異なる破線状の円形切り込み線を多数形成するとともに、各円形切り込み線における切り目中断部分は、外側及び内側の円形切り込み線の切り目のほぼ中央に位置するように順次互い違いに配置し、最大径の円形切り込み線とバック外周辺との間に円形広幅縁が存在し、バック外周辺から直径方向に外方へ１体の持ち手部を突出させる簡易包装バックがある（例えば、特許文献２参照）。
【特許文献１】実開昭５４−９７３１８号公報
【特許文献２】実開平４−２３６５２号公報
【発明の開示】
【発明が解決しようとする課題】
【０００５】
しかしながら、上記特許文献１や特許文献２は、１枚の素材から網状の手提げ袋を構築することが可能となるように切り込みが施されているが、上記特許文献１は、素材（１）の中心部から相似形状に拡大しつつ、断続した切り込み（２）による切り込み環（３）を多数列設けていることから、素材（１）の中心部に重心位置が加わるように形成されていることになる。このため、素材（１）の外形形状や、提げ手を構成するための切り溝（５、５）を設ける位置によっては、切り込み（２）により構築される千鳥状の編み目部分に対して遊び部分を多く発生させてしまうこともあり、均一に編み目部分に力が加わらない場合もある。また、特許文献２も同様に同心円状に直径の異なる破線状の円形切り込み線を多数形成することから、素材の中心部に重心位置が加わるように形成されていることになる。このため、切り込みにより構築される編み目部分に対して遊び部分を多く発生させてしまうこともあり、均一に編み目部分に力が加わらない場合もある。従って、編み目部分に余計な負荷が生じる箇所が発生してしまい編み目部分が破断してしまう虞がある。
【０００６】
本発明は上記事情に鑑みてなされたものであり、１枚のシート素材に施した切り込み部分が開いて手提げ袋を構築した際に、切り込み部分により構築する編み目部分に対する遊び部分を少なくし、編み目部分に対して均一に力が加わるような切り込みが施されたシート状手提げ袋を提供することを目的とするものである。
【課題を解決するための手段】
【０００７】
かかる目的を達成するために本発明は以下の特徴を有することとする。
【０００８】
本発明にかかるシート状手提げ袋は、１枚の略矩形状のシートに複数の切り込みを施してなるシート状手提げ袋であって、シートの中央部に対し手提げ袋の底面部となる形状を残しつつ、該底面部の外形形状と相似形状からなる断続した切り込み環が、底面部の外形位置から外周方向に所定の倍率毎に拡大しつつシートに多数列施され、尚且つ、シートの長手方向の外周近辺に、一対の提げ手を構築するための切り込みが施されてなり、断続した切り込み環は、断続した切り込み環の切り込み部分と、切り込み環と隣接する切り込み環の切り込み部分と、が互い違いとなるように順次施されてなることを特徴とするものである。
【０００９】
また、本発明にかかるシート状手提げ袋は、提げ手を構築するための切り込みの両端に、該切り込みの端に加わる力を緩和させる貫通孔が施されてなることを特徴とするものである。
【００１０】
また、本発明にかかるシート状手提げ袋は、提げ手を構築するための切り込みと、断続した最外環の切り込み環と、の間に、手提げ袋の中に内容物を投入した際に該内容物の一部に掛けて内容物を保持させる掛止部を構築するための切り込みが施されてなることを特徴とするものである。
【００１１】
また、本発明にかかるシート状手提げ袋において、底面部となる形状は、トラック形状からなることを特徴とするものである。
【００１２】
また、本発明にかかるシート状手提げ袋において、略矩形状のシートは、２層からなるシートであって、手提げ袋の内側となる層は、内容物を緩衝する緩衝層であり、手提げ袋の外側となる層は、印刷可能なプラスチック層であることを特徴とするものである。
【００１３】
また、本発明にかかるシート状手提げ袋において、緩衝層は、不織布であることを特徴とするものである。
【発明の効果】
【００１４】
本発明にかかるシート状手提げ袋は、１枚の略矩形状のシートに複数の切り込みを施してなるシート状手提げ袋であり、シートの中央部に対し手提げ袋の底面部となる形状を残しつつ、該底面部の外形形状と相似形状からなる断続した切り込み環が、底面部の外形位置から外周方向に所定の倍率毎に拡大しつつシートに多数列施され、尚且つ、シートの長手方向の外周近辺に、一対の提げ手を構築するための切り込みが施されてなり、断続した切り込み環は、断続した切り込み環の切り込み部分と、切り込み環と隣接する切り込み環の切り込み部分と、が互い違いとなるように順次施されてなることで、切り込み部分が開いて手提げ袋を構築した際に、切り込み部分により構築される編み目部分に対する遊び部分が少なくなり、編み目部分に対して均一に力が加わることになる。従って、安定した底面部を有するシート状手提げ袋を構築することが可能となる。これにより、手提げ袋の底面部に各商品を置き、その各商品を覆い隠すように一対の提げ手を重ね合わせて持ち上げることで、手提げ袋の内部で各商品を固定させて持ち運ぶことが可能となる。また、編み目部分に対して均一に力が加わることになるため、手提げ袋の強度を高めることが可能となる。
【発明を実施するための最良の形態】
【００１５】
まず、図１を参照しながら、本発明にかかるシート状手提げ袋について説明する。
本発明にかかるシート状手提げ袋は、１枚の略矩形状のシート（１）に複数の切り込みを施してなるシート状手提げ袋であり、シート（１）の中央部に対し、手提げ袋の底面部となる形状を残しつつ、その底面部の外形形状と相似形状からなる断続した切り込み環（２−１〜Ｎ）が、底面部の外形位置から外周方向に所定の倍率毎に拡大しつつ、そのシート（１）に多数列施されている。また、シート（１）の長手方向の外周近辺に、一対の提げ手（５）を構築するための切り込み（６）が施されている。なお、シート（１）に施した断続した切り込み環（２−１〜Ｎ）は、断続した切り込み環の切り込み部分と、その切り込み環と隣接する切り込み環の切り込み部分と、が互い違いとなるように順次施されている。これにより、１枚のシート素材に施した切り込み部分（３−１〜Ｎ）が開いて網状の手提げ袋を構築した際に、切り込み部分（３−１〜Ｎ）により構築する編み目部分に対する遊び部分が少なくなり、編み目部分に対して均一に力が加わることになる。
【実施例１】
【００１６】
以下、添付図面を参照しながら本発明にかかるシート状手提げ袋について説明する。
なお、本発明にかかるシート状手提げ袋は、図１に示唆する１枚のシート素材に施された切り込み部分により、図２〜図４に示唆される網状の手提げ袋が構築されることになる。まず、図１を参照しながら、本発明にかかるシート状手提げ袋を構築する１枚のシート素材に施される切り込み形状について説明する。
【００１７】
本発明にかかる手提げ袋を構築するシート（１）は、図１に示唆するように、略矩形状のシート素材からなり、その矩形状のシート（１）の中央には、手提げ袋の底面部を構築するための断続した切り込み環（２−１）が施されている。更に、このシート（１）の中央に施した断続した切り込み環（２−１）からシート（１）の外周方向に対し、その切り込み環（２−１）を所定の倍率毎に相似形状に拡大した断続した切り込み環（２−２〜Ｎ（Ｎは、任意の整数（なお、図１に示唆する最外の切り込み環（Ｎ）は、奇数とする）が等間隔で連続して施されている。なお、断続した切り込み環（２−１〜Ｎ）は、切り込み部分（３−１〜Ｎ）（図１に示唆する実線部分）と、その切り込み部分（３−１〜Ｎ）が途切れる切り込み中断部分（４−１〜Ｎ）と、がシート（１）に設けられるように切り込み部分（３−１〜Ｎ）に切り込みが施されている。
【００１８】
また、切り込み環（２−１〜Ｎ）は、例えば、図１に示唆する切り込み環（２−１、２−２）を例にとって説明すると、切り込み環（２−１）の切り込み部分（３−１）と、その切り込み環（２−１）と隣接する切り込み環（２−２）の切り込み部分（３−２）と、が互い違いにシート（１）の外周方向に向かって拡大しつつ設けられるように切り込みが施されている。即ち、シート（１）の最も内側にある切り込み環（２−１）から奇数番目となる切り込み環（２−１、３、・・、Ｎ）の切り込み部分（３−１、３、・・、Ｎ）の形状が、シート（１）の外周方向に向かって所定の倍率毎に拡大した形状となるように切り込みが施されている。また、奇数番目の切り込み環（２−１、３、・・、Ｎ）と同様にして、シート（１）の最も内側にある切り込み環（２−１）から偶数番目となる切り込み環（２−２、４、・・、Ｎ−１）の切り込み部分（３−２、４、・・、Ｎ−１）の形状が、シート（１）の外周方向に向かって所定の倍率毎に拡大した形状となるように切り込みが施されている。但し、シート（１）の最も外側にある最外環となる切り込み環（２−Ｎ）は、図１に示唆するように、弧状部分の４つの切り込み部分（３−Ｎ）のみがシート（１）に設けられるように切り込みが施されている。
【００１９】
このように、シート（１）に断続した切り込み環（２−１〜Ｎ）が施されることで、切り込み環（２−１、３、・・、Ｎ−２）の切り込み中断部分（４−１、３、・・、Ｎ−２）が、シート（１）の外周方向に向かって所定の倍率毎に拡大した形状となるように、尚且つ、その切り込み中断部分（４−１、３、・・、Ｎ−２）が、切り込み環（２−１、３、・・、Ｎ−２）と隣接する切り込み環（２−２、４、・・、Ｎ−１）の切り込み部分（３−２、４、・・、Ｎ−１）の略中央に位置するように、シート（１）に設けられることになる。更に、切り込み環（２−１、３、・・、Ｎ−２）の切り込み中断部分（４−１、３、・・、Ｎ−２）が、その切り込み環（２−１、３、・・、Ｎ−２）と隣接する切り込み環（２−２、４、・・、Ｎ−１）の切り込み部分（３−２、４、・・、Ｎ−１）を介して順次シート（１）に設けられることになる。また、切り込み環（２−１、３、・・、Ｎ−２）の切り込み中断部分（４−１、３、・・、Ｎ−２）と同様にして、切り込み環（２−２、４、・・、Ｎ−１）の切り込み中断部分（４−２、４、・・、Ｎ−１）が、シート（１）の外周方向に向かって所定の倍率毎に拡大した形状となるように、尚且つ、その切り込み中断部分（４−２、４、・・、Ｎ−１）が、切り込み環（２−２、４、・・、Ｎ−１）と隣接する切り込み環（２−１、３、・・、Ｎ）の切り込み部分（３−１、３、・・、Ｎ）の略中央に位置するように、シート（１）に設けられることになる。更に、切り込み環（２−２、４、・・、Ｎ−１）の切り込み中断部分（４−２、４、・・、Ｎ−１）が、その切り込み環（２−２、４、・・、Ｎ−１）と隣接する切り込み環（２−１、３、・・、Ｎ）の切り込み部分（３−１、３、・・、Ｎ）を介して順次シート（１）に設けられることになる。
【００２０】
なお、本発明にかかるシート（１）に設けられる切り込み環（２−１、３、・・、Ｎ−２）の切り込み中断部分（４−１、３、・・、Ｎ−２）と、切り込み環（２−２、４、・・、Ｎ−１）の切り込み中断部分（４−２、４、・・、Ｎ−１）と、は、図１に示唆するように、切り込み環（２−１〜Ｎ−１）が略直線となる部分（シート（１）の短手方向の中点に位置する切り込み中断部分（Ａ）、シート（１）の長手方向の中点に位置する中断部分（Ｃ）、その中断部分（Ｃ）の両側に位置する中断部分（Ｂ、Ｄ））は、同一形状となるようにシート（１）に設けられている。
【００２１】
また、本発明にかかるシート状手提げ袋を構築する略矩形状のシート（１）には、図１に示唆するように、長手方向の外周近辺に、一対の提げ手（５）を構築するための切り込み（６）が施されている。そして、手提げ袋の底面部に内容物を置き、一対の提げ手（５）を構築するための切り込み（６）の裏側から表側に対して手を入れ、切り込み環（２−１〜Ｎ）を覆い被せるように提げ手（５）同士を拝合させ、提げ手（５）を持ち上げることで、図１に示唆するシート（１）に施した切り込み部分（３−１〜Ｎ）が、図２〜図４に示唆するように開くことになり、切り込み部分（３−１〜Ｎ）により千鳥状の網の目を構築することになる。なお、図２〜図４に示唆する千鳥状の網の目は、図１に示唆する切り込み部分（３−１〜Ｎ）の両端部分（編み目を構築する接合部分（８））に力が加わることで形成されることになる。
【００２２】
このように、本発明にかかる１枚の略矩形状のシート（１）は、手提げ袋の底面部となる形状をシート（１）の中央部に残し、その底面部の外形形状と相似形状からなる断続した切り込み環（２−１〜Ｎ）が、手提げ袋の底面部の外形位置からシート（１）の外周方向に対して所定の倍率毎に拡大しつつ多数列施され、尚且つ、シート（１）の長手方向の外周近辺に、一対の提げ手（５）を構築するための切り込み（６）が施されていることで、切り込み部分が交互に開いて手提げ袋を構築した際に、その切り込み部分により構築される編み目部分の遊び部分が少なくなり、編み目部分に対して均一に力が加わることになる。このため、安定した底面部を有するシート状手提げ袋を構築することが可能となる。また、編み目部分に対して均一に力が加わることから切り込み部分に加わる力を均一に分散させることになり、切り込み部分の破断を防止することが可能となる。
【００２３】
なお、本発明にかかるシート状の手提げ袋は、図１に示唆するように手提げ袋の底面部となる形状をトラック形状とし、そのトラック形状と相似形状からなる断続した切り込み環（２−１〜Ｎ）が、手提げ袋の底面部の外形位置からシート（１）の外周方向に対して所定の倍率毎に拡大しつつ施されることで、図２〜図４に示唆するように切り込み部分（３−１〜Ｎ）を開いた際に、その切り込み部分（３−１〜Ｎ）により構築される編み目部分の遊び部分が更に少なくなり、殆どの編み目部分が伸びきった状態で手提げ袋が構築されることから、安定した底面部を有するシート状手提げ袋を構築することが可能となる。また、切り込み部分の破断を防止することが可能となる。このため、手提げ袋の底面部となる形状をトラック形状にすることが好ましい。
【００２４】
更に、提げ手（５）を構築するための切り込み（６）の両端には、図１に示唆するように、手提げ袋を構築した際に、その切り込み（６）の端に加わる力を分散させるための貫通孔（７）が施されている。この貫通孔（７）が切り込み（６）の両端に施されることで、図５に示唆するように切り込み（６）の端にかかる力を円上に沿って緩和させることが可能となり、切り込み（６）の両端の切欠を防止することが可能となる。なお、貫通孔（７）は、図５に示唆する形状に限定するものではなく、切り込み（６）の端にかかる力を緩和させる形状であればあらゆる形状が適用可能である。
【００２５】
（本発明にかかるシート状手提げ袋を構築するためのシート素材）
次に、本発明にかかるシート状手提げ袋を構築するシート素材について説明する。
本発明にかかるシート状手提げ袋を構成するシートは、図６に示唆するように、緩衝層（１０）と、接着層（１１）と、表面層（１２）と、から構成されるシートであり、緩衝層（１０）と、表面層（１２）と、が接着層（１１）を介して接着されてなるシート素材である。
【００２６】
緩衝層（１０）は、内容物の衝撃を緩衝させるための層であり、不織布、合成紙、フェルト等の素材が適用可能となる。また、緩衝層（１０）は、吸湿、吸水性のある素材を適用することも可能である。なお、不織布は、緩衝性、吸湿性、吸水性、を有することから不織布を緩衝層（１０）として適用することが好ましい。また、不織布は、図７に示唆するように、繊維が格子状となっていることから、シート素材の強度を高めることが可能となり、シート（１）に施された切り込み部分（３−１〜Ｎ）の端に力が加わった際に、切り込み部分（３−１〜Ｎ）の端の切欠を防止することが可能となる。
【００２７】
接着層（１１）は、緩衝層（１０）と、表面層（１２）と、を接着させるための層であり、緩衝層（１０）を構成する材質と、表面層（１２）を構成する材質と、を接着させるためのものであれば特に限定するものではなく、公知の接着剤等が適用可能である。
【００２８】
表面層（１２）は、ポリビニル、ポリエチレン（ＨＤＰＥ，ＬＬＤＰＥ，ＥＶＡ等）、レイヨン、ポリプロピレン（ＯＰＰ，ＣＰＰ）、ポリエステル、ポリ塩化ビニル（ＰＶＣ）などの表面に印刷可能なプラスチックシートが適用可能である。なお、ポリプロピレン（ＯＰＰ，ＣＰＰ）は、加工性に優れており、製造コストを削減することが可能となる。更に、ポリプロピレン（ＯＰＰ，ＣＰＰ）は、ポリ塩化ビニル（ＰＶＣ）等に比べて量産が可能である。尚且つ、ポリプロピレン（ＯＰＰ，ＣＰＰ）は、リサイクルが可能で、環境的にも優しい。このようなことから、ポリプロピレン（ＯＰＰ，ＣＰＰ）を表面層（１２）として適用することが好ましい。
【００２９】
（本発明にかかるシート状手提げ袋の製造方法）
次に、図８を参照しながら、本発明にかかるシート状手提げ袋の製造方法について説明する。
【００３０】
まず、表面層（１２）側に裏刷りでグラビア印刷を施す（ステップＳ１）。
次に、グラビア印刷を施した表面層（１２）に接着剤を介して緩衝層（１０）を接着し、図６に示唆するシート素材を形成することになる（ステップＳ２）（押し出しラミネート加工）。
【００３１】
なお、ステップＳ２までの工程は、シート素材がロール状に形成した状態で処理が完了するように行われる。これにより、一連の処理を効率的に行うことが可能となる。
【００３２】
次に、ロール状に巻き取られたシート素材に対してシートカットを施し、１枚毎に区分されたシート形状にする（ステップＳ３）。
次に、シートカットを施したシート素材に打ち抜き加工を行い、図１に示唆する実線部分に切り込みを施すことになる（ステップＳ４）。
次に、打ち抜き加工を施したシート素材に対してむしり加工を施し、余分な部分を取り除くことになり、袋形状を構築するための切り込みが施されたシートが形成されることになる（ステップＳ５）。
【００３３】
このように、本発明にかかるシート状手提げ袋は、図６に示唆するシート素材を形成し、そのシート素材に対して打ち抜き加工を施し、図１に示唆する切り込みが施されたシートを形成することで、立体的な網状の手提げ袋を構築するためのシートが形成されることになる。なお、上記の製造方法は一例であり、図１に示唆する切り込みが施されたシートが形成されれば特に限定するものではなく、種々の変形を施すことは可能である。
【００３４】
（シート状手提げ袋の強度試験）
次に、図１に示唆するシートから構築されたシート状手提げ袋の強度試験の測定結果について説明する。
【００３５】
（シート構成）
本実施例に適用されるシートは、表面層（１２）として適用されたポリプロピレンからなるＯＰＰ層（４０μ）と、緩衝層（１０）として適用された不織布（０．６８ｍｍ（１５０ｇ／ｍ2 ））と、が積層して構成されたシート素材であり、このシート素材を用いてシート状手提げ袋の強度試験を行うこととする。なお、矩形状のシート素材の長手方向の長さは、２８４ｍｍであり、短手方向の長さは、２５５ｍｍである。
【００３６】
（強度試験方法）
本実施例における強度試験は、測定機としてストログラフを用いて引張り試験を行い、シート状手提げ袋の破袋強度の測定を行うことになる。なお、シート状手提げ袋の底面部分には２Ｋｇの錘を置き、引張条件を、３００ｍｍ／ｍｉｎとして測定を行うこととする。なお、測定結果を図９に示唆する。図９に示唆する測定結果は、上記シート構成の引張り強度を５回測定した上で平均値を算出したものである。この図９に示唆する測定結果により、上記シート構成の手提げ袋は、約１５Ｋｇまでの強度に耐えることが判明した。
【実施例２】
【００３７】
次に、第２の実施例について説明する。
第１の実施例のシート状手提げ袋は、手提げ袋の底面部分に内容物を置いて包装し、手提げ袋の状態を構築しても、提げ手（５）を放してしまうと、図１に示唆するシートの状態に戻ってしまい、包装状態を保持することができないことになる。そこで、第２の実施例は、図１０に示唆するように、提げ手（５）を構築するための切り込み（６）と、断続した最外環の切り込み環（２−Ｎ）と、の間に、手提げ袋の中に内容物を投入した際にその内容物の一部に掛けて内容物を保持させる掛止部を構築するための切り込み（９）を施すことを特徴とするものである。このように、提げ手（５）を構築するための切り込み（６）と、断続した最外環の切り込み環（２−Ｎ）と、の間に、内容物を保持させる掛止部を構築するための切り込み（９）を施し、その掛止部となる切り込み（９）を内容物の一部にかけることで、包装状態を保持することが可能となる。これにより、手提げ袋の底面部分と、掛止部となる切り込み（９）と、で内容物を袋の内部で固定させて持ち運ぶことが可能となる。なお、掛止部となる切り込み（９）の形状は特に限定するものではなく、内容物の一部に切り込み部分を掛けて内容物を保持させるように構築できれば切り込み部分の形状は特に限定しないものとする。
【００３８】
なお、本発明にかかるシート状手提げ袋は、手提げ袋の底面部分に内容物を置き包装状態を保持したままで１つの商品としても扱うことも可能であり、この場合は、図１や、図１０に示唆するシート（１）に対してバーコードを設けることも可能である。なお、バーコードをシート（１）に設ける位置や数は特に限定するものではなく、シート（１）のあらゆる場所に設けることは可能である。好ましくは、手提げ袋を構築した際の底面部分や、提げ手（５）の周辺部分や、側面部分が良い。また、バーコードをシート（１）に設ける方法も特に限定せず、バーコードを印刷したり、バーコードを添付したりしてシートに設けることとなる。
【００３９】
なお、上述する実施例は、本発明の好適な実施例であり、上記実施例のみに本発明の範囲を限定するものではなく、本発明の要旨を逸脱しない範囲において種々の変更を施した形態での実施が可能である。例えば、提げ手（５）を構築するための切り込み（６）の形状は特に限定するものではなく、あらゆる形状が適用可能である。なお、提げ手（５）を構築するための切り込み（６）の形状としては、シート（１）の中央部を介して左右対称となるように形成することが好ましい。また、上記実施例は、シート状手提げ袋を構成するシート素材として、緩衝層と、表面層と、が接着層を介して接着したシート素材を適用したが、シート素材としては、不織布、フェルトシート、ポリビニル，ポリエチレン，ポリプロピレンなどのプラスチックシートを適用することも可能であり、薄いシート状の素材であれば特に限定するものではない。好ましくは、可撓性の素材をシート素材として適用することが良く、更に好ましくは、上記実施例のように、不織布を緩衝層として、ポリプロピレン素材を表面層として用いたシート素材を適用することが好ましい。このように、内容物が入る内側部分に不織布を用いることで、緩衝性、吸湿性、吸水性、の機能を有することになる。また、不織布は、繊維が格子状となっていることから、シート素材の強度を高めることが可能となる。また、シートを積載しても不織布であれば、シート同士が密着してしまうのを防止したりすることが可能となる（ブロッキング効果）。従って、スタッキング適正が良好となり、シート素材を重ねて置くことが可能となる。また、内容物が入る外側部分にポリプロピレン素材を用いることで、シート素材の強度を向上させることが可能となる。
【産業上の利用可能性】
【００４０】
本発明にかかるシート状手提げ袋は、スーパー等で用いられるビニール袋や網袋の代替手段としても適用可能であり、好ましくは、ＰＥＴボトルや飲料缶等を包装する際に適用可能である。
【図面の簡単な説明】
【００４１】
【図１】本発明にかかるシート状手提げ袋を構築するためのシートに施される切り込み形状を示唆する平面図である。
【図２】図１に示唆するシート状手提げ袋の使用状態を示唆する正面図であり、図１に示唆する（イ）方向からの図である。
【図３】図１に示唆するシート状手提げ袋の使用状態を示唆する側面図であり、図１に示唆する（ロ）方向からの図である。
【図４】図１に示唆するシート状手提げ袋の使用状態を示唆する斜視図である。
【図５】図１に示唆する切り込み（６）の両端に施される貫通孔（７）を拡大した図である。
【図６】本発明にかかるシート状手提げ袋に適用されるシート素材の構成を示唆する図である。
【図７】本発明のシート素材に適用可能となる不織布の表面を拡大した図である。
【図８】本発明にかかるシート状手提げ袋の製造方法を説明するためのフローチャートである。
【図９】本発明にかかるシート状手提げ袋の強度試験の測定結果を示唆する図である。
【図１０】第２の実施例におけるシート状手提げ袋を構築するためのシートに施される切り込み形状を示唆する平面図である。
【符号の説明】
【００４２】
１    シート素材
２−１〜Ｎ    切り込み環
３−１〜Ｎ    切り込み部分
４−１〜Ｎ    切り込み中断部分
５    提げ手
６、９    切り込み
７    貫通孔
８    編み目を構築する接合部分
１０    緩衝層
１１    接着層
１２    表面層
【図１】
2005212807.tif 000003
【図２】
2005212807.tif 000004
【図３】
2005212807.tif 000005
【図４】
2005212807.tif 000006
【図５】
2005212807.tif 000007
【図６】
2005212807.tif 000008
【図７】
2005212807.tif 000009
【図８】
2005212807.tif 000010
【図９】
2005212807.tif 000011
【図１０】
2005212807.tif 000012